(57)【要約】【課題】            エアーフィルタの付け忘れを防止できる手乾燥装置を得る。【解決手段】        凹状空間として構成された手挿入部３に、高速空気流を照射してこの手挿入部３に入れた手に付着した水分を吹き飛ばし、手挿入部３の底に設けられた排水口７からドレン容器８に溜めるようにした手乾燥装置について、ドレン容器８を抜き差し可能にして脱着できる構成とし、このドレン容器８の背後に高速空気流を生成するための空気を取込む空気取入口１２を設け、この空気取入口１２には着脱可能にエアーフィルタ１３を設け、このエアーフィルタ１３の枠部分の受承面１４でドレン容器８を受け支えるようにする。【選択図】          図１
2005160839.tif 000002
【特許請求の範囲】
【請求項１】
凹状空間として構成された手挿入部に、高速空気流を照射してこの手挿入部に入れた手に付着した水分を吹き飛ばし、前記手挿入部の底に設けられた排水口からドレン容器に溜めるようにした手乾燥装置であって、前記ドレン容器を抜き差し可能にして脱着できる構成とし、このドレン容器の背後に高速空気流を生成するための空気を取込む空気取入口を設け、この空気取入口には着脱可能にエアーフィルタを設け、このエアーフィルタの枠部分で前記ドレン容器を受け支えるようにした手乾燥装置。
【請求項２】
凹状空間として構成された手挿入部に、高速空気流を照射してこの手挿入部に入れた手に付着した水分を吹き飛ばし、前記手挿入部の底に設けられた排水口からドレン容器に溜めるようにした手乾燥装置であって、前記ドレン容器を抜き差し可能にして脱着できる構成とし、このドレン容器の背後に高速空気流を生成するための空気を取込む空気取入口を設け、この空気取入口には前記ドレン容器の抜き差し方向と同じ方向の抜き差しで脱着できるエアーフィルタを設け、このエアーフィルタが前記ドレン容器の差し込みによって適正位置に押圧され装着されるようにした手乾燥装置。
【請求項３】
請求項２に記載の手乾燥装置であって、ドレン容器の差し込みによって適正位置に押圧されるようにエアーフィルタの枠前面に位置決め構造を設け、この位置決め構造が前記エアーフィルタの操作摘みを兼ねる構成の手乾燥装置。
【請求項４】
請求項１〜請求項３までのいずれかに記載の手乾燥装置であって、エアーフィルタの枠に適正な装着姿勢以外は装着を阻む阻止構造を設けた手乾燥装置。
【請求項５】
請求項１〜請求項４までのいずれかに記載の手乾燥装置であって、ドレン容器に係脱可能な蓋を設け、この蓋の排水口に対応する位置に、排水口からの前記ドレン容器内の視認を阻み、排水口からの水を同ドレン容器内に案内する傾斜片を持つ受入口を形成した手乾燥装置。
【発明の詳細な説明】
【技術分野】
【０００１】
本発明は、洗浄後の濡れた手を衛生的に乾燥させるための手乾燥装置に関するものである。
【背景技術】
【０００２】
洗浄後の濡れた手を乾燥させる装置として、高速空気流により手に付着した水滴を吹き飛ばし乾燥させる手乾燥装置がある。この装置は、箱体に凹状形態に処理空間としての手挿入部が設けられ、手挿入部にはエアーノズルが配設されている。エアーノズルには高圧空気流発生装置に接続されたエアーダクトが繋がれ、手挿入部内に高速空気流を噴出するようになっている。手の乾燥処理に伴い手挿入部に吹き飛ばされた水は、手挿入部の底部に設けられた排水口から手挿入部の下方に備えられたドレン容器に滴下し受容される。なお、この種の従来技術としては、特許文献１に開示されているものがある。
【０００３】
【特許文献１】特開平１１−２４４１９２号公報
【発明の開示】
【発明が解決しようとする課題】
【０００４】
高速空気流で手を乾燥する手乾燥装置では、高圧空気流発生装置に吸込まれる空気から塵埃を除去するエアーフィルタが高圧空気流発生装置保護のうえから必ず必要である。清掃時にエアーフィルタを付け忘れるといった問題を解消するために、ドレン容器とエアーフィルタを連結したものがある。こうした構造を採ることによりエアーフィルタの付け忘れは防ぐことができるものの、ドレン容器の清掃に際してエアーフィルタも水に濡れ、エアーフィルタに付着した水が高圧空気流発生装置に吸込まれてしまうという問題点がある。エアーフィルタをドレン容器から切離すことができるようにすれば、エアーフィルタの付け忘れを防止することはできなくなってしまう。
【０００５】
本発明は、上記した従来の問題点を解決するためになされたもので、その課題とするところは、エアーフィルタの付け忘れを防止できる手乾燥装置を得ることであり、ドレン容器の装着によりおのずと適正状態にエアーフィルタが装着される扱い易い手乾燥装置を得ることであり、その手乾燥装置の使用感を向上させることである。
【課題を解決するための手段】
【０００６】
上記課題を解決するために本発明は、凹状空間として構成された手挿入部に、高速空気流を照射してこの手挿入部に入れた手に付着した水分を吹き飛ばし、手挿入部の底に設けられた排水口からドレン容器に溜めるようにした手乾燥装置について、そのドレン容器を抜き差し可能にして脱着できる構成とし、ドレン容器の背後に高速空気流を生成するための空気を取込む空気取入口を設け、この空気取入口には着脱可能にエアーフィルタを設け、このエアーフィルタの枠部分でドレン容器を受け支えるようにする手段を採用する。
【０００７】
また、他の発明は、凹状空間として構成された手挿入部に、高速空気流を照射してこの手挿入部に入れた手に付着した水分を吹き飛ばし、手挿入部の底に設けられた排水口からドレン容器に溜めるようにした手乾燥装置について、そのドレン容器を抜き差し可能にして脱着できる構成とし、ドレン容器の背後に高速空気流を生成するための空気を取込む空気取入口を設け、この空気取入口にはドレン容器の抜き差し方向と同じ方向の抜き差しで脱着できるエアーフィルタを設け、このエアーフィルタがドレン容器の差し込みによって適正位置に押圧され装着されるようにする手段を採用する。
【発明の効果】
【０００８】
上記手段を採用することにより、エアーフィルタを装着しないとドレン容器が受け支えられずドレン容器を取付けることができないので、清掃等に際しエアーフィルタの付け忘れを防ぐことができる。
【０００９】
上記他の手段を採用することにより、エアーフィルタがドレン容器の差し込みによって適正位置に押圧され装着されるので、塵埃除去機能を果たさないような状態でエアーフィルタが装着されて使用されるようなことがなく、扱い易い手乾燥装置となる。
【発明を実施するための最良の形態】
【００１０】
本発明の手乾燥装置は、凹状空間として構成された手挿入部が構成された本体箱体に、高速空気流を生成する高圧空気流発生装置が組込まれている。高圧空気流発生装置に空気を取込む空気取入口は、本体箱体の背面に形成された吸気通路端として本体箱体の最下部に開口している。この空気取入口には前後への抜き差しで脱着できる枠付きのエアーフィルタが装着されている。エアーフィルタの枠部の前部は受承面として幅広に形成されている。本体箱体の手挿入部の下部には前後方向の抜き差しで脱着できるドレン容器が装着されている。ドレン容器は、左右方向については本体箱体のガイドレール部によって位置決めされ、エアーフィルタの受承面に底面が受け支えられている。高圧空気流発生装置で生成された高圧空気流は、手挿入部の上面に設けられたエアーノズルに導かれる。このエアーノズルから高速空気流を手挿入部内に照射して、手挿入部に入れた手に付着した水分を吹き飛ばし、手挿入部の底の水受け部に設けられた排水口からドレン容器に溜めるようになっている。
【００１１】
この手乾燥装置では、エアーフィルタを装着しないとドレン容器は、受け支えられずドレン容器を取付けることができない。従って、清掃等でドレン容器やエアーフィルタを抜き取った場合、エアーフィルタを装着してからドレン容器を装着することになり、エアーフィルタの付け忘れを防ぐことができる。
【００１２】
もう一つの発明の手乾燥装置は、ドレン容器が本体箱体に設けられた受承面に受け支えられる構造である。ドレン容器は、背面の窪んだ凹状形態をしていて、前後方向への抜き差しで脱着することができるようになっている。ドレン容器の背面の窪み部分の底は段差を持って浅底に形成され、この部分が受承面に受け支えられる。エアーフィルタは、本体箱体の空気取入口の左右に設けられたチャンネル構造にその枠部が差し込まれて、ドレン容器の窪みに収まるように装着される。エアーフィルタの抜き差し方向は、ドレン容器の抜き差し方向と同じ方向であり、エアーフィルタの枠部の前面中央には、位置決め構造が突出して設けられている。この位置決め構造は、操作摘みを兼ね、これを摘んでエアーフィルタをチャンネル構造に差し込み、或いは抜き取ることができる。位置決め構造は、ドレン容器の深底と浅底の境の段差部に当る位置に設けられ、ドレン容器の差し込みによって段差部に当って押し込まれ、エアーフィルタが適正位置に装着されるものである。この構造により、塵埃除去機能を果たさないような状態でエアーフィルタが装着されて手乾燥装置が使用されるようなことがなく、悪戯によりエアーフィルタだけが抜き取られるような不都合も起きにくい。
【００１３】
実施の形態１．
図１によって示す本実施の形態は手乾燥装置に関するものであり、図１によって全体の断面を示すようにこの手乾燥装置は、正面に手挿入口を有する外殻をなす本体箱体１内に組み込まれた高圧空気流発生装置２による高圧空気が手挿入口近傍に送られて、手挿入口に続く処理空間としての手挿入部３内に水分を吹き飛ばす手乾燥に関する作動気流としての高速の気流が形成されるものである。本体箱体１は、背面側外殻をなすベース４と、正面側外殻をなす正面パネル５とから構成されている。
【００１４】
手挿入部３は本体箱体１の正面下部に、正面及び両側面が開放した手の挿抜可能の開放シンク状の凹状空間として形成され、下部を形成する水受け部６と奥側とにはその端縁部に曲面構成の立上りによる防壁構造が設けられ、側方や前方への水の飛散が防止されている。水受け部６の底部は前方に向って下傾していて、その傾斜下端に排水口７が設けられている。
【００１５】
水受け部６の下方には排水口７から滴下する水を貯溜する開放容器構造のドレン容器８が前後方向への抜き差しにより脱着可能に設けられている。ドレン容器８には取外し可能な蓋９が設けられている。この蓋９の水受け部６の排水口７に対応する位置には、排水口７からのドレン容器８内の視認を阻み、かつ排水口７からの水をドレン容器８内に案内する前傾した傾斜片１０を持つ受入口が形成されている。傾斜片１０によりドレン容器８内の汚水などが利用者に見えず使用感が向上する。なお、ドレン容器８と蓋９は、耐薬品性のあるＡＢＳ樹脂で作られ、中性洗剤及びアルコール等を使って洗浄し清掃することができる。また、手挿入部３の表面には、シリコン系もしくはフッ素系等の撥水性コーティング、又は酸化チタン等の親水性を有するコーティング、又は抗菌剤が含浸され、表面への汚れの付着の軽減や細菌の繁殖の低減が図られている。
【００１６】
高圧空気流発生装置２は、ＤＣブラシレスモーター（通常の整流子モーター又は誘導電動機であっても良い）と、これを駆動させる駆動回路及びＤＣブラシレスモーターによって回転するターボファンにより構成され、この実施の形態では本体箱体１の手挿入部３の直上に、吸気側をベース４側にして取付けられている。高圧空気流発生装置２の吸気側は、本体箱体１の背面側に手挿入部３の奥側背面に近接して縦方向に設けられた下端の開放した吸気通路１１に臨んでいて、吸気通路１１の下端の空気取入口１２から、前後方向の抜き差しにより脱着できる枠付きのエアーフィルタ１３を通じて空気を吸込むことができるようになっている。
【００１７】
エアーフィルタ１３の枠部の前部は、受承面１４として幅広の平面形態に形成されている。受承面１４の下部には濾材側を隔てる障壁１５が垂下状に設けられ、枠部の形状は表裏非対称である。ドレン容器８は、底面がエアーフィルタ１３の枠部の受承面１４に受け支えられて装着されている。ドレン容器８の左右方向の動きは、本体箱体１のガイドレール部１６によって拘束されている。
【００１８】
高圧空気流発生装置２の吹出口は、円形カップ状のファンケーシングの外周に周方向に間隔を置いて複数個が半径方向に向って開設されている。このファンケーシングの外側はターボファンの回転方向に沿う方向に誘導路を設けた円形カップ状のケーシングにより覆われ、ケーシングの誘導路の端に高圧空気流発生装置２から送られてくる高圧空気を高速の気流に変換し手挿入部３に吹き出すエアーノズル１７が接続されている。エアーノズル１７は、手挿入部３の手挿入口近傍の上部に噴出口を下向きにして取付けられ、手挿入部３内に入れた手に高速の気流を吹き付け、手を擦り合わせることなく手に付いた水滴を手の表面から剥離し吹き飛ばす。
【００１９】
この手乾燥装置では、エアーフィルタ１３を装着しないとドレン容器８は、受け支えられずドレン容器８を取付けることができない。従って、清掃等でドレン容器８やエアーフィルタ１３を抜き取った場合、エアーフィルタ１３を装着してからドレン容器８を装着することになり、エアーフィルタ１３の付け忘れを防ぐことができる。また、エアーフィルタ１３だけを単独に抜き取ることはできないため、悪戯等でエアーフィルタ１３を外されてしまうようなことも防止できる。ドレン容器８とエアーフィルタ１３は、別々になっているため水洗いや、掃除機による塵埃の除去といった個別な清掃作業となり、水で濡れたままのエアーフィルタ１３が装着されるようなことも起き難い。エアーフィルタ１３は表裏非対称であり、裏面には障壁１５があるため塵埃除去機能を果たさないような表裏取り違えた状態で装着されたまま手乾燥装置が使用されるようなこともない。
【００２０】
実施の形態２．
図２と図３によって示すこの実施の形態は、実施の形態１で示した手乾燥装置について、ドレン容器とエアーフィルタの相互関係を別な関係にしたものであり、これに係る構成以外は基本的には実施の形態１のものと同じである。従って、実施の形態１と同じ部分については実施の形態１のものと同じ符号を用い、それらについての説明は省略する。
【００２１】
この手乾燥装置は、断面図で示す図２と斜視図で示す図３のようにドレン容器８が本体箱体１のベース４側に設けられた受承面１４に受け支えられる構造である。ドレン容器８は、背面の窪んだ凹状形態をしていて、前後方向への抜き差しで脱着することができるようになっている。ドレン容器８の背面の窪み部分の底は段差を持って浅底１８に形成され、この部分が受承面１４に受け支えられる。エアーフィルタ１３は、本体箱体１の空気取入口１２の左右に設けられたチャンネル構造１９にその枠部が差し込まれて、ドレン容器８の窪みに収まるように装着される。エアーフィルタ１３の抜き差し方向は、ドレン容器８の抜き差し方向と同じ方向であり、エアーフィルタ１３の枠部の前面中央には、位置決め構造２０が突出して設けられている。この位置決め構造２０は、操作摘みを兼ね、これを摘んでエアーフィルタ１３をチャンネル構造１９に差し込み、或いは抜き取ることができる。位置決め構造２０は、ドレン容器８の深底２１と浅底１８の境の段差部２２に当る位置に設けられ、ドレン容器８の差し込みによって段差部２２に当って押し込まれ、エアーフィルタ１３が適正位置に装着さるものである。
【００２２】
この構造により、塵埃除去機能を果たさないような状態でエアーフィルタ１３が装着されて手乾燥装置が使用されるようなことがなく、悪戯によりエアーフィルタ１３だけが抜き取られるような不都合も起きにくい。エアーフィルタ１３を、表裏逆や前後逆に装着してもドレン容器８と干渉してドレン容器８が具合よく装着できないので、エアーフィルタ１３の付け違いに直ぐに気付くことになる。エアーフィルタ１３の取り扱いは、位置決め構造２０が操作摘みとして機能できるためいたって容易である。これ以外の機能は実施の形態１のものと同じである。
【図面の簡単な説明】
【００２３】
【図１】手乾燥装置の断面図である。（実施の形態１）
【図２】手乾燥装置の断面図である。（実施の形態２）
【図３】手乾燥装置の斜視図である。（実施の形態２）
【符号の説明】
【００２４】
３  手挿入部、  ７  排水口、  ８  ドレン容器、  ９  蓋、  １０  傾斜片、  １２  空気取入口、  １３  エアーフィルタ、  １４  受承面、  ２０  位置決め構造、  ２２  段差部。
【図１】
2005160839.tif 000003
【図２】
2005160839.tif 000004
【図３】
2005160839.tif 000005